(57)【特許請求の範囲】
【請求項１】
腰に捲いて装着するサポータにおいて、該サポータは腰表面の動きに追従して適当に屈曲するサポータであり、該サポータに別体のカイロを挿脱して収納するポケット部（１ａ）を設け、該ポケット部（１ａ）に熱で起電する熱電対（３）と、該熱電対（３）に導通して通電される導電性の第１の熱伝導板（２：２Ａ）と第２の熱伝導板（２：２Ｂ）を設け、該サポータを腰に捲いて装着した状態で第１の熱伝導板（２：２Ａ）と第２の熱伝導板（２：２Ｂ）から、カイロの発熱する温熱の刺激と前記熱電対（３）で起電する微弱電流を体表面との間に閉回路を形成して通電し電気的刺激を加えて施療するようにした健康サポータ。
【請求項２】
腰に捲いて装着するサポータにおいて、該サポータは腰表面の動きに追従して適当に屈曲するサポータであり、該サポータに適当に撓んで導電性を有する平板状の１つの基板（４ｂ）と、該基板（４ｂ）の上面に適当な大きさの１つの圧電セラミック（４Ａ）と、該圧電セラミック（４Ａ）の上面に電極（４ａ）を設け、該サポータを腰に捲いて装着した状態で前記基板（４ｂ）を腰部に当接する部位に設け、この腰の曲げたり伸ばしたりしゃがんだり立ち上がったりする動作で該サポータに設けた基板（４ｂ）にその動作に追従して撓む変形が生じ、その変形に追従する前記圧電セラミック（４Ａ）に撓みの歪みが生じて起電し、該圧電セラミック（４Ａ）が起電する微弱電流を前記基板（４ｂ）と電極（４ａ）と導電線で各接続して体表面の腰部と腹部に接面して通電する導電性の第１と第２の電極部（５：５Ａ）と第３と第４の電極部（５：５Ｂ）をそれぞれ設け、該サポータを腰に捲いて装着した状態で前記圧電セラミック（４Ａ）で起電する微弱電流を第１と第２の電極部（５：５Ａ）と第３と第４の電極部（５：５Ｂ）と接面する体表面、又は第１と第２の電極部（５：５Ａ）と第３と第４の電極部（５：５Ｂ）に設けた各凸部（５ａ）と当接する体表面との間に閉回路を形成して起電流を通電し電気的刺激を加えて施療する健康サポータ。
【請求項３】
腰に捲いて装着するサポータにおいて、該サポータは腰表面の動きに追従して適当に屈曲するサポータであり、該サポータに適当に撓んで導電性を有する平板状の基板（４ｂ）と、該基板（４ｂ）の上面に適当な大きさの圧電セラミック（４Ａ）と、該圧電セラミック（４Ａ）の上面に電極（４ａ）を設け、該サポータを腰に捲いて装着した状態で前記基板（４ｂ）を腰部に当接する部位に設け、この腰の曲げたりしゃがんだりする動作で該サポータに設けた基板（４ｂ）にその動作に追従して内側に撓む変形が生じ、その変形に追従する前記圧電セラミック（４Ａ）に撓みの歪みが生じて一方向に流れる起電流を起電し、腰の伸ばしたり立ち上がったりする動作で該サポータに設けた基板（４ｂ）にその動作に追従して平板状に戻る変形が生じ、その変形に追従する前記圧電セラミック（４Ａ）に元の形状に戻る歪みが生じて前記とは逆方向に流れる起電流を起電し、該圧電セラミック（４Ａ）が起電する微弱電流を前記基板（４ｂ）と電極（４ａ）と導電線で各接続して体表面のつぼに接面して通電する導電性の第１の電極部（５：５Ａ）と第２の電極部（５：５Ｂ）を設け、該サポータを腰に捲いて装着した状態で前記圧電セラミック（４Ａ）で起電する微弱電流を第１の電極部（５：５Ａ）と第２の電極部（５：５Ｂ）と接面する体表面、又は第１の電極部（５：５Ａ）と第２の電極部（５：５Ｂ）に設けた各凸部（５ａ）と当接する体表面との間に閉回路を形成して起電流を通電し、前記の起電流のうちどちらか一方に流れる起電流で点灯するＬＥＤをサポータに設けて起電状態を確認しながら電気的刺激を加えて施療する健康サポータ。
【発明の詳細な説明】
【技術分野】
【０００１】
本発明は、体に装着して体表面に温熱や押圧や温灸や微弱電流の電気的刺激を同時に加えて施療する健康サポータに関する。
【背景技術】
【０００２】
従来、健康を促進する療法に温熱療法があり、体表面に温熱を加えることで、その温められた部位が温熱による血管拡張作用で血行が良くなり、そしてコラーゲン線維の柔軟化作用で筋肉の疲れやコリを取り、神経痛、筋肉痛の痛みの緩和や疲労回復に効果がある。また腹部を温めれば胃腸の働きを活発にできる。
【０００３】
また健康を促進する療法につぼ療法があり、体表面にあるつぼを刺激することで、そのつぼに対応した体の各機能が活性化される。つぼを刺激する方法には、押圧の刺激を与える方法（指圧等）、熱の刺激を与える方法（温灸等）、電気的刺激を与える方法（磁気、低周波電流、微弱電流）の３通りがある。（磁気は磁界の中で発生する微小な起電流を利用するものである）
また健康体を維持するには、余分な脂肪がつかないようにダイエットが必要で、体脂肪が増えすぎると糖尿病や高血圧や高脂血症など、さまざまな生活習慣病を引き起こし易くなる。そのため余分な脂肪を燃焼させる必要があるが、体脂肪は体温の上昇と十分な酸素がないと燃焼できない。そして脂肪の燃焼には脂肪細胞の中の脂肪分解酵素であるリパーゼが脂肪を脂肪酸とグリセリンに分解して起こるが、体脂肪を分解するリパーゼは体温の上昇により活性化するため、体温を上昇させることが必要であり、体脂肪はおへその周りから溜め込まれるため、腹部についた皮下脂肪を積極的に燃焼して分解させることが必要である。
そこで従来の温熱用具やダイエット器具を検証すると、温熱用具としては体表面に直接貼る温熱シップがあり、その発生する温熱によってその部位の温熱施療のみが可能である。また腹部の脂肪を取るダイエット器具として、ベルトに温熱ヒーターを設けたものや、振動装置（ＥＭＳ）を設けたものがあるが、いずれもＡＣアダプタや電池などの電源が必要であり、ＡＣアダプタを接続するものでは、ベルトを装着したまま自由に動けなく長時間装着しての施療ができなかった。
【発明の開示】
【発明が解決しようとする課題】
【０００４】
本発明は、前述の現状に鑑みてなされたもので、体に装着するサポータにおいて、温熱や押圧や温灸や微弱電流の電気的刺激を幾つか組合せた施療を、無電源でもって同時に且つ効果的に実施できる健康サポータを提供することである。
【課題を解決するための手段】
【０００５】
本発明は上記の課題を解決するために、物性が持つ熱伝導性、熱電対のゼーベック効果、圧電体のピエゾ効果、異種金属間のイオン化傾向の作用を利用して、本発明を構成し実施するものである。
【発明の効果】
【０００６】
本発明の健康サポータは、物性が持つ熱伝導性や微弱電流を起電する各効果と作用を利用するもので、本発明の構成は無電源で温熱、押圧、温灸、微弱電流の電気的刺激の施療を幾つか組合せて同時に効率良く効果的に施療が可能である。特に本発明では、腰痛や腱鞘炎といった深い部分の疾患や炎症でも、その部位に起電した微弱電流の電気的刺激を加えて施療でき、従来に無い非常に安価で簡単な構成で効果的な施療が半永久的に可能である。
【実施例】
【０００７】
本発明を図面を基に説明する。
【０００８】
図１は、本発明の第１実施例を示すもので、腰に巻くサポータ体１をナイロン素材で図のように横幅７０〜１００ｃｍ（Ｍサイズ：７０〜８５ｃｍ、Ｌサイズ：８０〜１００ｃｍ）に形成し、その内側中央部に別体のカイロ７を挿脱して収納するポケット部１ａを設ける。そのポケット部１ａの表面に図１（ｂ）に示すように突出する複数の凸部１ｂ、１ｂ・・・１ｂを設ける。そしてサポータ体１の両端部に互いに係止する面ファスナー（登録商標：マジックテープ）１ｃ、１ｃを設けて構成したものである。この構成において、市販のカイロを封を切って袋から出して空気に触れる状態にして、図１（ｂ）（ｃ）に示すようにポケット部１ａ内にカイロ７を収納すると、カイロ７は空気中の酸素と化学反応を起こして発熱を始める。そして図１０（ａ）に示すように、ポケット部１ａの表面が腹部に当接するようにサポータ体１を腰に捲き、両端部の係止部１ｃ、１ｃを互いに係止してサポータ体１を胴周りに固定すると、その状態でカイロ７から発熱する熱はポケット部１ａの表面と接面する腹部の皮膚面を温め始める。そしてその温められた皮膚の皮下組織では、カイロ７の温熱により前述の温熱療法効果が得られ血行が促進される。そして腹部の皮下脂肪は温熱によって燃焼し易くなり、高い温度に長時間温められるその皮膚組織内では、余分な皮下脂肪が積極的に燃焼され続ける。そしてポケット部１ａに設けた突出する凸部１ｂ、１ｂ・・・１ｂによって、当接する皮膚面を押圧するため、その部位において押圧効果が得られると共に、その部位は突出する凸部１ｂで窪んだ状態に保たれるため、その部位での熱はこもったまま逃げられなく、周りの面よりも高温ポイントになるため、その当接する部位では温灸効果も得られる。図１（ｃ）は、凸部１ｂ、１ｂ・・・１ｂを熱伝導率の高い鉄やアルミなどの金属球を設けて構成したものである。その構成では熱伝導率の高い凸部１ｂ、１ｂ・・・１ｂは、周りの面よりもさらに高温になるため、その部位でのさらに高い温灸効果が得られる。尚、腹部には代表的なつぼとして、大巨、天枢、中かん、水分、気海、関元などあり、そのつぼの部位に当接するように凸部１ｂ、１ｂ・・・１ｂを配設して構成してもよい。またポケット部１ａ及び凸部１ｂを遠赤外線を照射する素材で形成して構成してもよい。皮膚面に当接する凸部１ｂ、１ｂ・・・１ｂの高さは２ｍｍ以上あれば好ましい。
【０００９】
図２は、本発明の第２実施例を示すもので、カイロ７を収納するポケット部１ａ内に、熱伝導率の高いアルミ材でなる熱伝導板２を設けたものである。カイロ７から発熱した熱は、接面する熱伝導率の低い空気やナイロン布よりも、熱伝導率の高いアルミ材でなる熱伝導板２へと吸熱されて伝導するため、その構成によりカイロ７から発熱した熱をより効果的に接面する体表面へと伝導できる。そのため前実施例より高い温熱効果が得られる。図２（ａ）（ｂ）に示す実施例ではポケット部１ａのナイロン布を介して熱を伝導しており、その構成では柔らかい温熱効果と、熱伝導板２に設けた凸部２ａ，２ａ・・・２ａからの柔らかい押圧効果と温灸効果が得られる。図２（ｃ）に示す実施例ではポケット部１ａに複数の開口部１ｄ、１ｄ・・・１ｄを設けており、その開口部１ｄ、１ｄ・・・１ｄから熱伝導板２に設けた凸部２ａ，２ａ・・・２ａを突出させて構成したものである。その構成では図２（ｄ）に示すように、突出する凸部２ａ，２ａ・・・２ａの部位は、周りの面よりもさらに高温になるため、その凸部２ａ，２ａ・・・２ａによる押圧効果と高い温灸効果が得られる。図２（ｅ）は、熱伝導板２に材質の違う球状の凸部２ａ，２ａ・・・２ａを設けて構成したものである。例えば熱伝導板２をアルミ材で形成し、凸部２ａ，２ａ・・・２ａを鉄材やチタン材で形成して構成することができる。前構成と同様にその凸部２ａ，２ａ・・・２ａによる押圧効果と高い温灸効果が得られる。
【００１０】
図３は、ポケット部１ａ内に導電性の熱伝導板２Ａ，２Ｂを設け、熱伝導板２Ａと熱伝導板２Ｂとを熱電対３で接続して構成したものである。２つの金属線３ａと金属線３ｂを接合してなる熱電対３において、その接合部を図３（ｂ）の様にポケット部１ａの中央部に設け、その接合部がカイロ７に直に接触するように構成する。そして金属線３ａと金属線３ｂの一方の端部を熱伝導板２Ａと熱伝導板２Ｂ内に各埋設して構成する。その構成において、直接カイロ７の面に接触する金属線３ａと金属線３ｂの接合部と、熱伝導板２Ａと熱伝導板２Ｂ内に埋設した金属線３ａと金属線３ｂの各端部とでは、両部位に温度差ができるため、ゼーベック効果により金属線３ａと金属線３ｂとの間に微弱な起電流が発生する。その起電した微弱電流は、体表面に当接する熱伝導板２Ａの凸部２ａ，２ａ・・・２ａと熱伝導板２Ａの凸部２ａ，２ａ・・・２ａとの間で閉回路が形成されるため、その微弱電流が当接する皮膚組織内へと流れる。そのためその構成で微弱電流施療（マイクロカレントセラピー）が可能である。構成する金属線３ａと金属線３ｂとの組合せは、例えばクロメルとアルメル、鉄とコンスタンタン、銅とコンスタンタンの組合せで構成して実施が可能である。本実施例の構成では、カイロ７による温熱効果、凸部２ａ，２ａ・・・２ａによる押圧効果と温灸効果、さらに熱電対３による微弱電流の電気的刺激効果を同時に加えて施療することができる。
【００１１】
図４〜図９に示す実施例の構成は、常温で物性が持つ起電作用を利用するもので、結晶体や磁器材料でなる圧電体に圧力を加えると起電するピエゾ効果や、異種金属間に起きるイオン化作用で起電するイオン化傾向の性質がある。そのピエゾ効果やイオン化傾向の作用を利用して起電した微弱電流を体内に流せば、前実施例と同様に微弱電流の施療効果が得られる。体内には１００〜２００μＡの生体電流が流れており、神経繊維や筋繊維では微弱な電流刺激によって、その細胞膜に一連の電気的変化が生じ、１ヵ所に生じた電気的変化により隣接部が刺激されて次々と興奮を起こし、その興奮が繊維を伝わっていく性質がある。またその生体電流が細胞組織の乱れで、細胞組織のイオン配列の障害となってスムーズに流れなくなると、人間が本来持っている自然治癒力が低下し、病気の原因にもなっていた。それで生体電流に近い微弱電流を体外から流してやることで、自然治癒力が高まることがピッツバーグ大学の研究結果で報告されており、その治療法として微弱電流療法（マイクロカレントセラピー）がある。その微弱電流療法によって、個々の細胞や組織が傷ついた場合に、体外から微弱（＝損傷）電流を人工的に流してやることで、その修復に必要なエネルギーを供給するＡＴＰ（アデノシン三燐酸）酵素の生成や、たんぱく質の合成等が促進されて自然治癒力が高まり、治癒（回復）が速まることが証明されている。そして微弱電流治療器として、微弱電流発生装置が開発され製品化されている。
ピエゾ効果を利用して圧電体に加える圧力で起電させる方法を、図７に基づいて説明すると、図７（ａ）において、圧電体の表面に矢印（↓）の圧電体を圧縮する力（圧縮応力）が加わると、図のように圧電体が縮む方向にひずみ、その際に起電流ｉを起電する。次に圧縮する力を取り去ると圧電体は元の形に戻り、その際に逆向きの起電流ｉを起電する。また図７（ｂ）において、圧電体の表面に矢印（↓＆↑）の圧電体を曲げる力（せん断応力）が加わると、図のように圧電体が曲がる方向にひずみ、その際に起電流ｉを起電する。次に曲げる力を取り去ると圧電体は元の形に戻り、その際に逆向きの起電流ｉを起電する。この場合前記の圧縮する力でひずむ変位量に比べて、曲げる力でひずむ変位量の方がはるかに大きいため、曲げによる力で起電する起電流の方がはるかに大きくなる。
【００１２】
図４は、本発明を実施する圧電体４の構成例を示したものである。図４（ａ）（ｂ）において、厚さ約０.０７ｍｍ、直径４０ｍｍの黄銅でなる基板４ｂの上面中央に約０.０６ｍｍ厚で直径３０ｍｍの圧電セラミック４Ａ又は圧電フィルム４Ｂを設け、その圧電セラミック４Ａ又は圧電フィルム４Ｂの上面全域を、銀でなる電極４ａで厚膜印刷（シルクスクリーン印刷）して数１０ミクロンの厚みに設けて構成したものである。その構成において、基板４ｂを金属で形成した場合は、黄銅、アルミ、銅、合金でなる４２ALLOY等で形成でき、また基板４ｂを薄いプラスチック材でその面上に導電性のカーボン等を成膜して構成してもよい。また基板４ｂ全体を導電ゴム材で形成して構成してもよい。基板４ｂの厚みとしては、適当に撓んで弾性を持つ厚みであればよく、金属板で形成した場合は実施例として０.５〜０.３ｍｍ以下で０.１ｍｍ以下であれば最もよい。圧電体４を形成する圧電（ピエゾ）セラミック４Ａとしては、チタン酸ジルコン酸鉛（PZT）の他に、チタン酸バリウム（BaTiO3）、チタン酸鉛、ニオブ酸鉛、ニオブ酸リチウム等を焼結して分極処理したもので構成でき、また圧電（ピエゾ）フィルム４Ｂとしては、フィルム状のポリフッ化ビニリデン（PVDF）等で構成して実施できる。いずれの物質も圧力を加えることで、物質内に電気分極が生じて起電流を発生する。
図４（ｃ）は、基板４ｂを設けず、圧電（ピエゾ）フィルム４Ｂのみで構成して実施するものである。例えば米国ＭＳＩ（Measurement Specialties. Inc）社が製品化しているポリフッ化ビニリデン（PVDF）でなる圧電（ピエゾ）フィルム４Ｂは、その圧電フィルム自体が適当に撓んで弾性を持つため、前実施例の構成のように基板４ｂを設けなくても、その圧電（ピエゾ）フィルム４Ｂ自体が外力や圧力によって撓んで起電流を発生する。そしてその外力や圧力を取り去ると元の形状に戻ろうとして逆向きの起電流を発生する。圧電（ピエゾ）フィルム４Ｂは引張りによっても起電流を発生し、圧電（ピエゾ）フィルム４Ｂは前記の圧電（ピエゾ）セラミック４Ａと比べて、１０倍以上の起電圧を発生させることができる。そのため本発明を圧電（ピエゾ）フィルム４Ｂで構成して実施すれば少ない面積分で済み、その厚みも２８μｍ、５２μｍ、１１０μｍと非常に薄くてかさばらずに実施できる。尚、基板４ｂ及び圧電（ピエゾ）セラミック４Ａや圧電（ピエゾ）フィルム４Ｂの外形形状は、円形状のみに限らず、横長の楕円形状や方形形状等に形成して構成し実施してもよい。また基板４ｂを２枚の圧電（ピエゾ）セラミック４Ａや圧電（ピエゾ）フィルム４Ｂでサンドイッチ状に挟んで設けた構成（バイモルフ型）で実施してもよい。この構成であれば約２倍の起電力（起電流）が得られる。
【００１３】
図５は、前述の圧電体４を実際にサポータ体１に設けた実施例の構成を示したものである。図５（ａ）のようにサポータ体１の中央部分に圧電体４を設け、その電極４ａと基板４ｂに導電線６ａと導電線６ｂを各々接続し、その導電線６ａと導電線６ｂの一方の端部を導電性の電極部５Ａと電極部５Ｂに接続しており、
その電極部５Ａと電極部５Ｂにはそれぞれ凸部５ａ，５ａ・・・５ａを設けてあり、その凸部５ａ，５ａ・・・５ａをサポータ体１に設けた開口部１ｄ、１ｄ・・・１ｄから突出させて設けた構成である。その構成により図１０（ｂ）に示すように、圧電体４を設けた部分が腰部に当接するようにサポータ体１を腰周りに装着させると、その状態での様々な体の動き、腰を曲げたり伸ばしたり、しゃがんだり立ち上がったり、又は腹式呼吸をすると、腰に捲いたサポータ体１の腰部分に圧力が加わるため、その都度当接する腰部から圧電体４を撓ませる圧力が加わり、その圧電体４には前述の図７（ａ）（ｂ）に示したひずみの変位が起こるため、その起こるひずみの変位ごとに圧電体４には微弱な起電流が発生する。そして図５（ｃ）に示すように、その起電した微弱電流は電極部５Ａに設けた凸部５ａ，５ａ・・・５ａと電極部５Ｂに設けた凸部５ａ，５ａ・・・５ａから接面する腰部の皮膚組織内へと深く流れ、本構成によって常温で且つ無電源で微弱電流の施療ができる。本発明の構成では、体の動きに追従して起電し微弱電流が発生するため、体内に流れる生体電流に連動し、その皮膚組織への刺激効果は増幅されて促進することになる。（既存の微弱電流発生装置は、体の動きに連動して微弱電流を発生するものではない）腰部には胃兪、腎兪、命門、次りょうといった代表的なつぼがあり、前記の凸部５ａ，５ａ・・・５ａを各つぼに当接するように配設して構成してもよい。腰痛に苦しむ人は少なくなく、しかもその腰痛になる部位は腰内部の深い所に疾患や炎症がある場合が多く、本発明の構成によってそういった腰痛の緩和や施療が可能である。
【００１４】
図６は、圧電体を利用した他の実施例の構成を示したもので、電極部５Ａと電極部５Ｂをサポータ体１の両端部にも設け、図６（ｂ）に示すようにサポータ体１を腰に捲いた状態で、腰部と腹部に電極部５Ａに設けた凸部５ａ，５ａ・・・５ａと電極部５Ｂに設けた凸部５ａ，５ａ・・・５ａとが当接するように構成したものである。この構成であれば、サポータ体１の中央部の１ヵ所に設けた１つの圧電体４で、その圧電体４の部分に圧力を加えることで、腰部と腹部に同時に微弱電流を流して施療できる。
【００１５】
図１１（ａ）（ｂ）は、圧電体を利用した他の実施例の構成を示したもので、図１１（ａ）に示すように、背部に当接する電極部５Ａと電極部５Ｂを設けることで、その部位間でも同時に微弱電流を流して施療が可能である。背部には身柱、肺兪、心兪、膵兪、肝兪、天宗といった代表的なつぼがあり、その部位に凸部５ａ，５ａ・・・５ａが各当接するように構成してもよい。図１１（ｂ）は、サポータ体１を伸縮する円筒状に形成し、そのサポータ体１を手首に装着した実施例の構成を示したものである。例えば腱鞘炎になった場合、その疾患のある部位には刺激を与えられにくくなかなか治り難いが、本発明の構成により手首の深部へ微弱電流の刺激を加えることができ、その部位の痛みの緩和や治りを速くすることが可能である。元々微弱電流施療はアスリートやプロスポーツ選手が打撲やじん帯損傷などの治療に使われてるもので、ワールドカップイングランド代表のベッカム選手が骨折治療に取り入れ短期間で治療したことが知られている。また微弱電流施療で美白効果もあることが知られている。本発明の構成は手首の他に足首や太ももやふくらはぎや膝や肘等にも装着して実施してよい。尚、電極部５Ａ、５Ｂはアルミ等の金属材や導電ゴムや導電プラスチック、プラスチック材にアルミ蒸着したもの等で形成して実施でき、その形状も凸部５ａ，５ａ・・・５ａを設けず平板状で、その平板面が体表面に接面するように構成して実施してもよい。また電極部５Ａ、５Ｂを設ける箇所も実施例の箇所に限らず、適当な箇所に適当数設けてよく、適所に異極同士の電極部５Ａ、５Ｂを散在させて設けてもよい。また圧電体４の起電した微弱電流でもって点灯するＬＥＤをサポータ体１に設けて構成してもよく、サポータ体１に設ける圧電体４も１個に限らず複数個設けて構成してもよい。
【００１６】
図８、図９は、異種の金属間にイオン化傾向の作用で流れる微弱電流を利用するものである。イオン化傾向が異なる金属でなる電極部５Ｃと電極部５Ｄとの間に導電線６を接続すると、その電極部５Ｃと電極部５Ｄとの間に起電流が発生し、図８（ａ）に示すように、電極部５Ｃと電極部５Ｄをサポータ体１の中央部に設け、前実施例と同様電極部５Ｃに設けた凸部５ａ，５ａ・・・５ａと電極部５Ｄに設けた凸部５ａ，５ａ・・・５ａを腰部に当接するように構成すれば、当接する両部位間に閉回路が形成され、腰部の皮膚組織内へとその起電する微弱電流を流すことができる。図９に示した構成では、イオン化傾向が異なる金属でなる電極部５Ｃと電極部５Ｄをサポータ体１の両端部にも設け、その両電極部５Ｃ、５Ｄを導電線６で接続して構成したものである。その実施例の構成によって、接面する腰部と腹部の皮膚組織内へと同時に起電する微弱電流を流すことができる。イオン化傾向としては、イオン化傾向の小さい金属から大きい金属に順に並べると、金→銀→銅→鉛→ニッケル→鉄→亜鉛→アルミニウム→チタン→マグネシウム→ナトリウムとなり、このうち汎用性があり導電性が高い銅とアルミニウム、銅とチタンの組合せで電極部５Ｃと電極部５Ｄを構成して実施することができる。本実施例の構成を前実施例と同様、手首や足首や太ももやふくらはぎや膝や肘等に装着して実施することができる。また各実施例を構成する電極部５Ａと電極部５Ｂ及び電極部５Ｃと電極部５Ｄを平板状に形成し、その平板面が体表面に接面するように構成して実施してもよい。
【図面の簡単な説明】
【００１７】
【図１】（ａ）本発明の１実施例の正面図（ｂ）（ｃ）Ｘ-Ｙ方向の縦断面図
【図２】（ａ）（ｃ）本発明の１実施例の正面図（ｂ）（ｄ）（ｅ）Ｘ-Ｙ方向の縦断面図
【図３】（ａ）本発明の１実施例の正面図（ｂ）本発明の１実施例の一部横断面の平面図
【図４】（ａ）（ｃ）本発明の１実施例の側面図（ｂ）本発明の１実施例の平面図
【図５】（ａ）本発明の１実施例の正面図（ｂ）本発明の１実施例の一部横断面の平面図（ｃ）本発明を実施した状態の横断面図
【図６】（ａ）本発明の１実施例の正面図（ｂ）本発明を実施した状態の横断面図
【図７】（ａ）（ｂ）本発明の原理を説明する側面図
【図８】（ａ）本発明の１実施例の正面図（ｂ）本発明の１実施例の一部横断面の平面図（ｃ）本発明を実施した状態の横断面図
【図９】（ａ）本発明の１実施例の正面図（ｂ）本発明を実施した状態の横断面図
【図１０】（ａ）（ｂ）本発明を実施した状態の正面図
【図１１】（ａ）本発明を実施した状態の正面図（ｂ）本発明を実施した状態の斜視図
【符号の説明】
【００１８】
１  ：  サポータ体
1ａ  ：  ポケット部
1ｂ  ：  凸部
1ｃ  ：  係止部
１ｄ  ：  開口部
２  ：  熱伝導板
２Ａ  ：  （２Ｂと異極の）導電性の熱伝導板
２Ｂ  ：  （２Ａと異極の）導電性の熱伝導板
２ａ  ：  凸部
３  ：  熱電対
３ａ  ：  （３ｂと異なる）金属線
３ｂ  ：  （３ａと異なる）金属線
４  ：  圧電体
４Ａ  ：  圧電セラミック
４Ｂ  ：  圧電フィルム
４ａ  ：  電極
４ｂ  ：  基板
５  ：  電極部
５Ａ  ：  （５Ｂと異極の）電極部
５Ｂ  ：  （５Ａと異極の）電極部
５Ｃ  ：  （５Ｄと異種金属の）電極部
５Ｄ  ：  （５Ｃと異種金属の）電極部
５ａ  ：  凸部
６  ：  導電線
６ａ  ：  （６ｂと異極の）導電線
６ｂ  ：  （６ａと異極の）導電線
７  ：  カイロ
【図１】
0004437775.tif 000002
【図２】
0004437775.tif 000003
【図３】
0004437775.tif 000004
【図４】
0004437775.tif 000005
【図５】
0004437775.tif 000006
【図６】
0004437775.tif 000007
【図７】
0004437775.tif 000008
【図８】
0004437775.tif 000009
【図９】
0004437775.tif 000010
【図１０】
0004437775.tif 000011
【図１１】
0004437775.tif 000012